(57)【要約】【課題】  、簡単な構成により、一旦プリント回路基板に装着したコネクタが容易に外れなく、しかも、電気的に安定した接触が得られるコネクタ構造を提供することを目的とする。【解決手段】  プラグ１は、前面側が開口した筒形状部１１２が形成されたハウジング１１と、筒形状部の内部に配置された一対の板状部１２１ａ、１２１ｂを備えた端子部１２と、ハウジング１１の下方より一体的に張り出した張出部１１１を有しており、板状部１２１ａの少なくとも一方には、相対する他方の板状部１２１ｂに向かって上方に傾斜するように突出したピン抜け止め部１２２が形成されており、プリント回路基板２には、貰通孔２１が形成されており、貫通孔２１の近傍に配置されたピン３が取り付けられており、プラグ１は、端子部１２がピン３の接触部３２を両側より挟むとともに、張出部１１１が貰通孔２１に挿入されている。【選択図】図３
2008181773.tif 000002
【特許請求の範囲】
【請求項１】
ケーブルが接続されたプラグをプリント回路基板に接続するためのコネクタ構造であって、
前記プラグは前面側が開口した２個の筒形状部が左右に並んで形成されたハウジングと、金属で形成され前記それぞれの筒形状部の内部に配置された一対の板状部を備えた２個の端子部と、前記端子部のそれぞれに一体的に形成され前記ケーブルの先端を挟み込むことで前記ケーブルと接続された接続部とを有しており、
前記ハウジングは、下方に一体的に張り出した直方体形状の張出部を有しており、
前記端子部の板状部は、前記筒形状部の奥側から先端側に向け、互いに対向し、少なくとも一方の板状部が傾斜して下側の間隔が広く、上側の間隔が狭くなるように左右に配置されているとともに、前記傾斜した板状部には、相対する他方の板状部に向かって上方に傾斜するように突出したピン抜け止め部が形成されており、
前記プリント回路基板には、前記張出部が挿入される貰通孔が形成されており、前記貫通孔の近傍に互いに並んで配置された一対の金属製のピンと、前記一対のピンに取り付けられ、これらピンの間隔を一定に保つスペーサ部材とを備えており、
前記ピンは、前記プリント回路基板と交差するように配置され、半田付けにて固定された支持部と、前記プリント回路基板と平行に配置された接触部とを有しており、前記接触部が前記貫通孔の上部に位置するように配置されており、
前記スペーサ部材は、絶縁性を有する材料からなり、前記一対のピンの接触部同士が略平行をなすように前記接触部に取り付けらており、
前記プラグは、前記各端子部が前記ピンのそれぞれの接触部を両側より挟むとともに、前記張出部が前記貰通孔に挿入されたことで電気的に接続され、かつ、前記プリント回路基板に取り付けられていることを特徴とするコネクタ構造。
【請求項２】
ケーブルが接続されたプラグをプリント配線基板に接続するためのコネクタ構造であって、
前記プラグは、前面側が開口した筒形状部が形成されたハウジングと、金属で形成され前記筒形状部の内部に配置された一対の板状部を備えた端子部と、前記端子部に一体的に形成され前記ケーブルの先端と接続された接続部とを有しており、
前記ハウジングは、下方より一体的に張り出した張出部を有しており、
前記端子部の板状部は、前記筒形状部の奥側から先端側に向け、互いに対向して左右に配置されているとともに、前記板状部の少なくとも一方には、相対する他方の板状部に向かって上方に傾斜するように突出したピン抜け止め部が形成されており、
前記プリント回路基板には、前記張出部が挿入される貰通孔が形成されており、前記貫通孔の近傍に配置された金属製のピンが取り付けられており、
前記ピンは、前記プリント回路基板と交差するように配置された支持部と、前記プリント回路基板と平行に配置された接触部とを有しており、前記接触部が前記貫通孔の上部に位置するように配置されており、
前記プラグは、前記端子部が前記ピンの接触部を両側より挟むとともに、前記張出部が前記貰通孔に挿入されたことで電気的に接続され、かつ、前記プリント回路基板に取り付けられていることを特徴とするコネクタ構造。
【請求項３】
ケーブルが接続されたプラグをプリント回路基板に接続するためのコネクタ構造であって、
前記プラグは、前面側が開口した複数個の筒形状部が上下に並んで形成されたハウジングと、金属で形成され前記それぞれの筒形状部の内部に配置された一対の板状部を備えた複数個の端子部と、前記端子部のそれぞれに一体的に形成され前記ケーブルの先端を挟み込むことで前記ケーブルと接続された接続部とを有しており、
前記ハウジングは、下方に一体的に張り出した直方体形状の張出部を有しており、
前記端子部の板状部は、筒形状部の奥側から先端側に向け、互いに対向し、少なくとも一方の板状部が傾斜して下側の間隔が広く、上側の間隔が狭くなるように左右に配置されているとともに、前記傾斜した板状部には、相対する他方の板状部に向かって上方に傾斜するように突出したピン抜け止め部が形成されており、
前記プリント回路基板には、前記張出部が挿入される貰通孔が形成されており、前記貫通孔の近傍に互いに並んで配置された一対の金属製のピンと、前記一対のピンに取り付けられ、これらピンの間隔を一定に保つスペーサ部材とを備えており、
前記ピンは、前記プリント回路基板と交差するように配置され、半田付けにて固定された支持部と、前記プリント回路基板と平行に配置された接触部とを有しており、前記接触部が前記貫通孔の上部に位置するように配置されており、
前記スペーサ部材は、絶縁性を有する材料からなり、前記一対のピンの接触部同士が略平行をなすように前記接触部に取り付けらており、
前記プラグは、前記各端子部が前記ピンのそれぞれの接触部を両側より挟むとともに、前記張出部が前記貰通孔に挿入されたことで電気的に接続され、かつ、前記プリント回路基板に取り付けられていることを特徴とするコネクタ構造。
【請求項４】
前記プラグには、複数個の筒形状部が左右に並んで配置されており、前記端子部は、それぞれの筒形状部の内部に配置されるものであり、
前記ピンが前記それぞれの筒形状部に1個ずつ配置されていることを特徴とする請求項２に記載のコネクタ構造
【請求項５】
前記プラグには、複数個の筒形状部が上下に並んで配置されており、
前記端子部は、前記それぞれの筒形状部の内部に配置されるものであり、
前記ピンが前記それぞれの筒形状部に1個ずつ配置されていることを特徴とする請求項２に記載のコネクタ構造。
【請求項６】
前記ピンには、絶縁性を有する材料からなり、隣り合うピンの間隔を一定に保つためのスペーサ部材が取り付けられたことを特徴とする請求項２、請求項４または請求項５のいずれかに記載のコネクタ構造。
【請求項７】
前記ピン抜け止め部は、前記板状部の一部を切り起こすようにして形成されていることを特徴とする請求項１乃至請求項３のいずれかに記載のコネクタ構造。
【請求項８】
前記ピン抜け止め部は、前記板状部に複数箇所に形成されていることを特徴とする請求項１乃至請求項３または請求項７のいずれかに記載のコネクタ構造。
【発明の詳細な説明】
【技術分野】
【０００１】
本発明は、テレビジョン受像機、ＤＶＤ装置などの電子機器に備えられ、ケーブルが取り付けられたプラグをプリント回路基板に接続するためのコネクタ構造に関し、特に、簡単な構成により、一旦プリント回路基板に装着したコネクタが容易に外れないようにしたものである。
【背景技術】
【０００２】
従来、ケーブルが取り付けられたプラグをプリント回路基板に接続するものとしては、コネクタに弾性舌片を設け、プリント回路基板の嵌合孔に挿入したものがある(例えば、特許文献１参照）。また、基台の下面に固定脚を垂下し、プリント回路基板に設けた孔に嵌合固定するようにしたものがある(例えば、特許文献２参照）。更には、ピン端子から分岐して接続部とは別に、脚部を設け、脚部をプリント回路基板に半田付けするようにしたものがある(例えば、特許文献３参照）。
【特許文献１】実開平５−７５９７９号公報
【特許文献２】特開平８−６４２７５号公報
【特許文献３】実開平６−１１２６５号公報
【発明の開示】
【発明が解決しようとする課題】
【０００３】
しかし、前述の特許文献１記載の構成では、コネクタをプリント回路基板に堅固に係止することはできるが、接続端子の接触については、何ら考慮されておらず、従って、別途対策が必要である。
【０００４】
また、特許文献２記載の構成では、上述の特許文献１記載のものと同様、ピン端子を、プリント回路基板に堅固に係止することはできるが、接続端子の接触については、何ら考慮されておらず、従って、別途対策が必要である。更に、固定脚の先端部に可撓変形する膨大頭部を形成する必要があり、製作上および材質上数々の制限を受けるなどといった問題があった。
【０００５】
また、特許文献３記載の構成においても、上述の特許文献１記載のものと同様、ピン端子を、プリント回路基板に堅固に係止することはできるが、接続端子の接触については、何ら考慮されておらず、従って、別途対策が必要である。更に、ピン端子から分岐して接続部とは別に、脚部を形成する必要があり、ピン端子の幅を電気的に必要以上に大きくしなければならず、また、プリント回路基板上に占める面積が大きくなり、この種装置の小型化を阻害する要因となるなどいった問題があった。
【０００６】
本発明は、上述した問題を解決するためになされたものであり、簡単な構成により、一旦プリント回路基板に装着したコネクタが容易に外れなく、しかも、電気的に安定した接触が得られるコネクタ構造を提供することを目的とする。
【課題を解決するための手段】
【０００７】
かかる目的を達成するため、本発明では、ケーブルが接続されたプラグをプリント回路基板に接続するためのコネクタ構造であって、プラグは前面側が開口した２個の筒形状部が左右に並んで形成されたハウジングと、金属で形成されそれぞれの筒形状部の内部に配置された一対の板状部を備えた２個の端子部と、端子部のそれぞれに一体的に形成されケーブルの先端を挟み込むことでケーブルと接続された接続部とを有しており、ハウジングは、下方に一体的に張り出した直方体形状の張出部を有しており、端子部の板状部は、筒形状部の奥側から先端側に向け、互いに対向し、少なくとも一方の板状部が傾斜して下側の間隔が広く、上側の間隔が狭くなるように左右に配置されているとともに、傾斜した板状部には、他方の板状部に向かって上方に傾斜するように突出したピン抜け止め部が形成されており、プリント回路基板には、張出部が挿入される貰通孔が形成されており、貫通孔の近傍に互いに並んで配置された一対の金属製のピンと、一対のピンに取り付けられ、これらピンの間隔を一定に保つスペーサ部材とを備えており、ピンは、プリント回路基板と交差するように配置され、半田付けにて固定された支持部と、プリント回路基板と平行に配置された接触部とを有しており、接触部が貫通孔の上部に位置するように配置されており、スペーサ部材は、絶縁性を有する材料からなり、一対のピンの接触部同士が略平行をなすように接触部に取り付けらており、プラグは、各端子部がピンのそれぞれの接触部を両側より挟むとともに、張出部が貰通孔に挿入されたことで電気的に接続され、かつ、プリント回路基板に取り付けられるように構成する。
【０００８】
この構成によれば、スペーサ部材により一定間隔に保たれた一対のピンに対向するように、ハウジングの筒形状部の内部に配設された端子部を位置せしめ、端子部の板状部の間隔が広い下側からピン側にプラグを摺動させる。その後、ハウジングの張出部をプリント回路基板に形成された貫通孔に勘合するように、プラグを下側に移動させれば、ピンは、端子部に形成されたピン抜け止め部を押し広げるようにして、板状部の間隔が狭い上部側に移動し、ピンの接触部が端子部の一対の板状部によって挟持されて充分な電気的接触が得られ、かつ、ピン抜け止め部によりピンの移動範囲が制限されるとともに、張出部が貫通孔に挿入されたことと相俟って、プラグは、プリント回路基板から抜けなくなる。また、このための構成は、殊更、特別な部品や材料を用いることなく、単に、板状部の少なくとも一方に、ピン抜け止め部を形成するとともに、少なくとも一方の板状部が傾斜して下側の間隔が広く、上側の間隔が狭くなるように、一対の板状部を左右に配置すればよいので、その構成は、極めて簡単である。更には、プラグの端子部をピン側に摺動する際には、端子部の板状部の間隔が広い下側から挿入しているので、その取り付け作業は、極めてスムースに行うことができる。
【０００９】
また、本発明においては、ケーブルが接続されたプラグをプリント配線基板に接続するためのコネクタ構造であって、プラグは、前面側が開口した筒形状部が形成されたハウジングと、金属で形成され筒形状部の内部に配置された一対の板状部を備えた端子部と、端子部に一体的に形成されケーブルの先端と接続された接続部とを有しており、ハウジングは、下方より一体的に張り出した張出部を有しており、端子部の板状部は、筒形状部の奥側から先端側に向け、互いに対向して左右に配置されているとともに、板状部の少なくとも一方には、相対する他方の板状部に向かって上方に傾斜するように突出したピン抜け止め部が形成されており、プリント回路基板には、張出部が挿入される貰通孔が形成されており、貫通孔の近傍に配置された金属製のピンが取り付けられており、ピンは、プリント回路基板と交差するように配置された支持部と、プリント回路基板と平行に配置された接触部とを有しており、接触部が貫通孔の上部に位置するように配置されており、プラグは、端子部がピンの接触部を両側より挟むとともに、張出部が貰通孔に挿入されたことで電気的に接続され、かつ、プリント回路基板に取り付けられるように構成する。
【００１０】
この構成によれば、ピンに対向するように、ハウジングの筒形状部の内部に配設された端子部を位置せしめ、端子部の板状部の下側からピン側にプラグを摺動させる。その後、ハウジングの張出部をプリント回路基板に形成された貫通孔に勘合するように、プラグを下側に移動させれば、ピンは、端子部に形成されたピン抜け止め部を押し広げるようにして、板状部の上部側に移動し、ピンの接触部が端子部の一対の板状部によって挟持されて充分な電気的接触が得られ、かつ、ピン抜け止め部によりピンの移動範囲が制限されるとともに、張出部が貫通孔に挿入されたことと相俟って、プラグは、プリント回路基板から抜けなくなる。また、このための構成は、殊更、特別な部品や材料を用いることなく、単に、板状部の少なくとも一方に、ピン抜け止め部を形成すればよいので、その構成は、極めて簡単である。
【００１１】
また、本発明においては、ケーブルが接続されたプラグをプリント回路基板に接続するためのコネクタ構造であって、プラグは、前面側が開口した複数個の筒形状部が上下に並んで形成されたハウジングと、金属で形成されそれぞれの筒形状部の内部に配置された一対の板状部を備えた複数個の端子部と、端子部のそれぞれに一体的に形成されケーブルの先端を挟み込むことでケーブルと接続された接続部とを有しており、ハウジングは、下方に一体的に張り出した直方体形状の張出部を有しており、端子部の板状部は、筒形状部の奥側から先端側に向け、互いに対向し、少なくとも一方の板状部が傾斜して下側の間隔が広く、上側の間隔が狭くなるように左右に配置されているとともに、傾斜した板状部には、相対する他方の板状部に向かって上方に傾斜するように突出したピン抜け止め部が形成されており、プリント回路基板には、張出部が挿入される貰通孔が形成されており、貫通孔部の近傍に互いに並んで配置された一対の金属製のピンと、一対のピンに取り付けられ、これらピンの間隔を一定に保つスペーサ部材とを備えており、ピンは、プリント回路基板と交差するように配置され、半田付けにて固定された支持部と、プリント回路基板と平行に配置された接触部とを有しており、接触部が貫通孔の上部に位置するように配置されており、スペーサ部材は、絶縁性を有する材料からなり、一対のピンの接触部同士が略平行をなすように接触部に取り付けらており、プラグは、各端子部がピンのそれぞれの接触部を両側より挟むとともに、張出部が貰通孔に挿入されたことで電気的に接続され、かつ、プリント回路基板に取り付けられるように構成する。
【００１２】
この構成によれば、スペーサ部材により一定間隔に保たれた一対のピンに対向するように、ハウジングの筒形状部の内部に配設された端子部を位置せしめ、端子部の板状部の間隔が広い下側からピン側にプラグを摺動させる。その後、ハウジングの張出部をプリント回路基板に形成された貫通孔に勘合するように、プラグを下側に移動させれば、ピンは、端子部に形成されたピン抜け止め部を押し広げるようにして、板状部の間隔が狭い上部側に移動し、ピンの接触部が端子部の一対の板状部によって挟持されて充分な電気的接触が得られ、かつ、ピン抜け止め部によりピンの移動範囲が制限されるとともに、張出部が貫通孔に挿入されたことと相俟って、プラグは、プリント回路基板から抜けなくすることができる。また、このための構成は、殊更、特別な部品や材料を用いることなく、単に、板状部の少なくとも一方に、ピン抜け止め部を形成するとともに、少なくとも一方の板状部が傾斜して下側の間隔が広く、上側の間隔が狭くなるように、一対の板状部を左右に配置すればよいので、その構成は、極めて簡単である。また、プラグの端子部をピン側に摺動する際には、端子部の板状部の間隔が広い下側から挿入しているので、その取り付け作業は、極めてスムースに行うことができる。更には、ピンが上下方向に配置されているので、プラグのプリント回路基板に沿う方向の面積を小さくすることができ、それだけ、スペースの有効利用を図ることが可能となり、都合がよい。
【００１３】
また、本発明においては、プラグには、複数個の筒形状部が左右に並んで配置されており、端子部は、それぞれの筒形状部の内部に配置されるものであり、ピンがそれぞれの筒形状部に1個ずつ配置されて構成されている。この構成によれば、複数のケーブルを１つのプラグでプリント回路基板に接続することができるので、ケーブルの取り回しを簡略化することができ、都合がよい。
【００１４】
また、本発明においては、プラグには、複数個の筒形状部が上下に並んで配置されており、端子部は、それぞれの筒形状部の内部に配置されるものであり、ピンがそれぞれの筒形状部に1個ずつ配置されて構成されている。この構成によれば、ピンが上下方向に配置されているので、プラグのプリント回路基板に沿う方向の面積を小さくすることができ、それだけ、スペースの有効利用を図ることが可能となり、都合がよい。
【００１５】
また、本発明においては、ピンには、絶縁性を有する材料からなり、隣り合うピンの間隔を一定に保つためのスペーサ部材が取り付けられて構成されている。この構成によれば、スペーサによってピンの間隔が一定に保たれているので、ピンが板状部の間に容易に挿入される。これにより、プラグをプリント回路基板に取り付けるときに、抵抗が少なくてすみ、それだけ、取り付けを容易に行うことが可能となり、都合がよい。
【００１６】
また、本発明においては、ピン抜け止め部は、板状部の一部を切り起こすようにして形成されている。この構成によれば、板状部の一部を切り起こしてピン抜け止め部を形成しているので、別途、ピン抜け止め部を準備する必要がなく、部品点数の削減を図ることができ、都合がよい。また、ピン抜け止め部は、端子部をプレス成形などにより製作する際に、同時に形成すればよいので、製作工程の簡略化が図れ、都合がよい。
【００１７】
更に、本発明においては、ピン抜け止め部は、板状部に複数箇所に形成されている。この構成によれば、ピン抜け止め部が複数箇所に形成されているので、個々のピン抜け止め部を小さくすることが可能となり、都合がよい。
【発明の効果】
【００１８】
本発明によれば、極めて簡単な構成により、一旦プリント回路基板に装着したコネクタが容易に外れなく、しかも、電気的に安定した接触が得られるコネクタ構造を得ることができる。
【発明を実施するための最良の形態】
【００１９】
（第１実施形態）
以下、本発明の第１実施形態を図１乃至図６に基づいて説明する。図１は、本発明の一実施形態に係るコネクタ構造の概略構成を示す斜視図、図２は、図１に示すコネクタ構造の平面断面図、図３は、図１に示すコネクタ構造の側面断面図である。図４は、図１に示す端子部の一例を示す要部側面図である。図５および図６は、何れも端子部と、ピンの接触部との関係を示す概念図である。
【００２０】
図１乃至図３に示すように、プラグ１は少なくとも、ハウジング１１と、端子部１２と、接続部１３とを備えている。ハウジング１１は、下方から直方体形状に張り出した張出部１１１と、ハウジング１１の正面側に開口を有し、左右に並んで配置された断面矩形状の筒形状部１１２と、背面側にケーブルＣａが挿通されたケーブル挿通孔１１３とを有している。ハウジング１１は、特に限定されないが、図示する例では、樹脂の一体成型にて作製されている。
【００２１】
また、筒形状部１１２は、ハウジング１１の上下方向において、下方の一部が張出部１１１の内部に配置されるように形成されている。ケーブル挿通孔１１３は、ケーブルＣａを挿入することができるとともに、ケーブルＣａに大きなストレスがかかることなく、ケーブルＣａが抜けない程度に挿入できるのが好ましい。
【００２２】
端子部１２は、各筒形状部１１２の内部に配置されるものであり、２枚の板状部１２１ａ、１２１ｂが筒形状部１１２の奥側から先端側に向け、互いに対向し、図５および図６に示すように、少なくとも一方の板状部、図示する例では、板状部１２１ａが傾斜して下側の間隔Ｌ１が広く、上側の間隔Ｌ２が狭くなるように左右に配置されている。ここで、間隔Ｌ１と、間隔Ｌ２との関係は、ピン３の幅をＨとしたとき、Ｌ１＞Ｈ＞Ｌ２となるように設定するのが好ましい。そして、傾斜した板状部１２１ａには、相対する他方の板状部１２１ｂに向かって上方に傾斜するように突出したピン抜け止め部１２２が形成されている。このピン抜け止め部１２２は、端子部１２をプレス成形などにより製作する際に製作される。例えば、図４に示すように、板状部１２１ａに逆Ｕ字状の切れ目５１を設け、切れ目５１の下側を結ぶ線（点線で示す）を折り目５２として、図４において、紙面手前側、即ち、相対する他方の板状部１２１ｂに向かって切り起こすようにして、所望の傾斜角度となるように折り曲げ、図５に示すような形状に形成する。
【００２３】
端子部１２の奥側には、接続部１３が一体に形成されている。接続部１３はケーブルＣａの先端と当接しており、両側より折り曲げ可能に形成された折曲部１３１を備えている。接続部１３は、折曲部１３１を折り曲げ、ケーブルＣａの先端と接続するものであり、端子部１２に送られた信号、電力などは、端子部１２、接続部１３を介してケーブルＣａに伝達される。
【００２４】
プリント回路基板２には、矩形状の貫通孔２１が形成されており、少なくとも、金属製のピン３と、スペーサ部材４とを備えている。貫通孔２１はプラグ１の張出部１１１を内挿することができるとともに、貫通孔２１は、貫通孔２１の淵部と張出部１１１との間に、ケーブルＣａが引っ張られても、抜けない程度に摩擦力が発生する形状であることが好ましい。
【００２５】
ピン３は、図３に示すように、途中で屈曲する形状を有する一対の金属製の棒状部材であり、支持部３１と、接触部３２とを有している。ピン３は、支持部３１と接触部３２とがＬ字状に直角に折れ曲がるように形成されている。支持部３１はプリント回路基板２に形成された貫通孔２１の近傍に形成されたスルーホール２０に挿通されているとともに、プリント回路基板２の表面に銅箔などにて形成されている配線パターン（図示省略）に半田にて固定されている。これにより、配線パターンとピン３とが導通して接続されている。
【００２６】
スルーホール２０は、所定の間隔をあけて並んで配置されている。ピン３は接触部３２が貫通孔２１の上部に配置されるように、支持部３１をスルーホール２０に挿入している。このとき、接触部３２は、所定の間隙を開けて平行に配置されている。ピン３の接触部３２には、例えば、スペーサ４が取り付けられ、このスペーサ４による、一対のピン３の間隔が一定に保たれている。スペーサ４は、樹脂などの絶縁材料で形成されている。
【００２７】
次に、プリント回路基板２にプラグ１を接続する手順について図７乃至図９に基づいて説明する。図７乃至図９は、何れもコネクタ構造の接続の手順を段階的に示す側面断面図である。図７に示すように、プラグ１の前面がピン３と対向するように配置する。即ち、筒形状部１１２の内部に配置された２個の端子部１２の板状部１２１ａ、１２１ｂの間隔が広い下側が、一対のピン３のそれぞれと対向している（図５参照）。この状態で、プラグ１を前面方向に摺動させ、ピン３を筒形状部１１２に挿入させる（図７参照）。
【００２８】
続いて、張出部１１１が貫通孔２１の上部に位置するまでプラグ1を摺動させる（図８参照）。このとき、使用者が視認できない状態であっても、プラグ１の位置を知ることができるように、張出部１１１が貫通孔２１の上部の位置にあるときに、プラグ１と、スペーサ４とが当接し、摺動を制限するように形成してもよいのは、勿論である。その後、ハウジング１１の張出部１１１をプリント回路基板２に形成された貫通孔２１に勘合するように、プラグ１を下側に摺動移動させれば、ピン３は、端子部１２に形成されたピン抜け止め部１２２を押し広げるようにして、板状部１２１ａ、１２１ｂの間隔が狭い上部側に移動し、ピン３の接触部３２が端子部１２の一対の板状部１２１ａ、１２１ｂによって挟持されて充分な電気的接触が得られ、かつ、ピン抜け止め部１２２によりピン３の移動範囲が制限されるとともに、張出部１１１が貫通孔２１に挿入されたことと相俟って、プラグ１は、プリント回路基板２から抜けなくなる（図６および図９参照）。
【００２９】
このようにして、ピン３の接触部３２と、端子部１２とが接触した状態で、張出部１１１を貫通孔２１に係合させることで、プラグ１がプリント回路基板２に取り付けられる。図９に示すように、ケーブルＣａが引っ張られた場合であっても、張出部１１１が貫通孔２１と係合していることで、プラグ１がプリント回路基板２から抜けるのを抑制することができる。また、プラグ１に力が付勢した場合であっても、板状部１２１の弾性力にてピン３の接触部３２との接触状態を維持することができ、安定して、プラグ１をプリント回路基板２に接続することが可能である。
【００３０】
以上の構成による本実施形態では、ピンの接触部３２が端子部１２の一対の板状部１２１ａ、１２１ｂによって挟時されて充分な電気的接触が得られ、かつ、ピン抜け止め部１２２によりピンの移動範囲が制限されるとともに、張出部１１１が貫通孔２１に挿入されたことと相俟って、プラグ１は、プリント回路基板２から抜けなくなる。また、このための構成は、殊更、特別な部品や材料を用いることなく、単に、板状部１２１ａ、１２１ｂの少なくとも一方に、ピン抜け止め部１２２を形成するとともに、少なくとも一方の板状部１２１ａが傾斜して下側の間隔が広く、上側の間隔が狭くなるように左右に、一対の板状部１２１ａ、１２１ｂを配置すればよいので、その構成は、極めて簡単である。更には、プラグ１の端子部１２をピン３側に摺動する際には、端子部１２の板状部１２１ａ、１２１ｂの間隔が広い下側から挿入しているので、その作業は、極めて簡単である。
【００３１】
また、本実施形態によれば、複数のケーブルＣａを１つのプラグ１でプリント回路基板２に接続することができるので、ケーブルＣａの取り回しを簡略化することができ、都合がよい。
【００３２】
また、本実施形態によれば、スペーサ４によってピン３の間隔が一定に保たれているので、ピン３が板状部１２１ａ、１２１ｂの間に容易に挿入される。これにより、プラグ１をプリント回路基板２に取り付けるときに、抵抗が少なくてすみ、それだけ、取り付けを容易に行うことが可能となり、都合がよい。
【００３３】
また、本実施形態によれば、板状部１２１ａの一部を切り起こしてピン抜け止め部１２２を形成しているので、別途、ピン抜け止め部１２２を準備する必要がなく、部品点数の削減を図ることができ、都合がよい。また、ピン抜け止め部１２２は、端子部１２をプレス成形などにより製作する際に、同時に形成すればよいので、製作工程の簡略化が図れ、都合がよい。更に、本実施形態によれば、ピン抜け止め部１２２が複数箇所に形成されているので、個々のピン抜け止め部１２２を小さくすることが可能となり、都合がよい。
【００３４】
（第２実施形態）
次に、本発明の第２実施形態について図１０乃至図１２を参照しながら説明する。図１０は、本発明の第２実施形態に係るコネクタ構造の他の例を示す側断面図である。図１１は、図１０に示す端子部を拡大して示す正面図、図１２は、図１１に示す端子部の要部展開図である。なお、図１０乃至図１２において、上述した図１乃至図９と同じ符号を付した部分は、略同一のものを示すため、ここでは詳細な説明は省略する。以下、上述した第１実施形態との相違点を中心に説明する。
【００３５】
本実施形態におけるコネクタ構造は、図１０に示すように、ピン３の接触部３２がプリント回路基板２に沿って並ぶとともに、プリント回路基板２に直交する方向（上下方向）にも並んで配置されているものである。ピン３が上下方向に並んでいることで、プラグ１の筒形状部１１２も上下に並んで配置されている。ピン３は、各端子部１２とそれぞれ接触するとともに、プラグ１が上下に摺動したときに、筒形状部１１２の上下方向の壁面１１４と接触しない位置に並んで配置されている。
【００３６】
また、各端子部１２の板状部１２１ａ、１２１ｂは、図１１に示すように、筒形状部１１２の奥側から先端側に向け、互いに対向し、少なくとも一方の板状部１２１ａが傾斜して下側の間隔Ｌ１が広く、上側の間隔Ｌ２が狭くなるように左右に配置されている。そして、板状部１２１ａ、１２１ｂの双方にピン抜け止め部１２２が形成されている。このピン抜け止め部１２２は、上述の実施形態と同様、端子部１２をプレス成形などにより製作する際に製作される。例えば、図１２に示すように、板状部１２１ａ、１２１ｂの手前側（紙面上部）からＬ字状の切れ目５１をそれぞれ設ける。そして、板状部１２１ａ、１２１ｂが互いに対向するように、紙面裏方向に折り目１２３（点線で示す）から折り曲げるとともに、切れ目５１の長辺に対向し、一方が短辺と結ぶ線（点線で示す）を折り目５２として、相対する他方の板状部１２１ａ、１２１ｂに向かって切り起こすようにして、所望の傾斜角度となるように折り曲げ、図１１に示すような形状に形成する。
【００３７】
以上の構成による本実施形態よれば、上述した第１実施形態と同様の作用効果を奏する他、ピン３が上下方向に配置されているので、プラグ１のプリント回路基板２に沿う方向の面積を小さくすることができ、それだけ、スペースの有効利用を図ることが可能となり、都合がよい。
【００３８】
また、ピン抜け止め部１２２が、板状部１２１ａ、１２１ｂの双方、即ち、複数箇所に形成されているので、個々のピン抜け止め部１２２を小さくすることが可能となり、都合がよい。
【００３９】
なお、上述した各実施形態は、本発明の好適な実施例であるが、本発明はこれに限定されるものではなく、本発明の要旨を逸脱しない範囲において、種々変形実施可能である。
【００４０】
例えば、上述した第１実施形態では、筒形状部１１２、端子部１２およびピン３が２個ずつ備えている２ピンのコネクタ構造のものを示しているが、本発明は、これに限定されるものではなく、ピン３が１個の１ピンのものや、３個以上のピン３を有するコネクタ構造に本発明を適用してもよいのは、勿論である。また、第２実施形態のように、上下左右に３個以上のピン３および端子部１２を配設するようにしてもよいのは、勿論である。
【００４１】
更には、上述した各実施形態では、張出部１１１がプラグ１の横方向一杯に形成されているものを示しているが、これに限定されるものではなく、プラグ１に対して小さいものであってもよい。このように、張出部１１１を小さくすることで、プリント回路基板２の貰通孔２１も小さく形成することが可能である。また、張出部１１１を複数個備えるように形成してもよい。さらに、上述した各実施形態では、張出部１１１が直方体形状のものを挙げているが、これに限定されるものではなく、張出部１１１および貫通孔２１を形成し易く、容易に係合させることができるものを広く採用することが可能である。
【図面の簡単な説明】
【００４２】
【図１】本発明の一実施形態に係るコネクタ構造の概略構成を示す斜視図である。
【図２】図１に示すコネクタ構造の平面断面図である。
【図３】図１に示すコネクタ構造の側面断面図である。
【図４】図１に示す端子部の一例を示す要部側面図である。
【図５】端子部と、ピンの接触部との関係を示す概念図である。
【図６】端子部と、ピンの接触部との関係を示す概念図である。
【図７】コネクタ構造の接続の手順を段階的に示す側面断面図である。
【図８】コネクタ構造の接続の手順を段階的に示す側面断面図である。
【図９】コネクタ構造の接続の手順を段階的に示す側面断面図である。
【図１０】本発明の第２実施形態に係るコネクタ構造の側断面図である。
【図１１】図１０に示す端子部を拡大して示す正面図である。
【図１２】図１２に示す端子部の要部展開図である。
【符号の説明】
【００４３】
１        プラグ
１１      ハウジング
１１１    張出部
１１２    筒形状部
１１３    ケーブル挿通孔
１２      端子部
１２１ａ  板状部
１２１ｂ  板状部
１２２    ピン抜け止め部
１３      接続部
１３１    折曲部
２        プリント回路基板
２１      貫通孔
３        ピン
３１      支持部
３２      接触部
４        スペーサ
【図１】
2008181773.tif 000003
【図２】
2008181773.tif 000004
【図３】
2008181773.tif 000005
【図４】
2008181773.tif 000006
【図５】
2008181773.tif 000007
【図６】
2008181773.tif 000008
【図７】
2008181773.tif 000009
【図８】
2008181773.tif 000010
【図９】
2008181773.tif 000011
【図１０】
2008181773.tif 000012
【図１１】
2008181773.tif 000013
【図１２】
2008181773.tif 000014